(57)【要約】【課題】本発明は、簡単な構成で確実に、側柵に形成された、利用者の身体の一部が挟まることが考えられるまたは物が落下することが考えられる隙間及び隣り合う側柵間の隙間を覆うことができるようにした側柵用カバー装置を提供することにある。【解決手段】ベッドの側部に設けられた複数の側柵３を同時に覆うカバー装置であって、柔軟かつ透視可能な材料９によって下端が開放した袋状に形成され、上記側柵３に着脱可能に装着されるカバー本体８を備えている。【選択図】        図２
2004321237.tif 000002
【特許請求の範囲】
【請求項１】
ベッドの側部に、所定間隔で設けられる複数の側柵間の隙間及び側柵を同時にカバーするものであって、柔軟かつ透視可能な材料によって下端が開放した袋状に形成され上記側柵に着脱可能に装着されるカバー本体を備えていることを特徴とする側柵用カバー装置。
【請求項２】
上記カバー本体における上部内面の、側柵と接触する部分に、摩擦によるすべり止めを有することを特徴とする請求項１記載の側柵用カバー装置。
【請求項３】
上記カバー本体に、痴呆症等の利用者が容易に側柵からの取り外しができない特殊な留め具を有することを特徴とする請求項１記載の側柵用カバー装置。
【請求項４】
上記カバー本体の柔軟かつ透視可能な材料がメッシュ状ものであって、痴呆症等の利用者が容易に側柵からの取り外しができない特殊な留め具がプッシュ式ホックである側柵用カバー装置。
【発明の詳細な説明】
【０００１】
【発明が属する技術分野】
本発明は、ベッドの側部に複数の側柵を設けた場合に、隣り合う側柵間の隙間及び側柵に形成された隙間を覆うための側柵カバー装置に関するものである。
【０００２】
【従来の技術】
例えば、介護用などのベッドにおいては、利用者や利用者に掛けられた寝具などが落下するのを防止するため、ベッドの側部に側柵を設けることができるようにしている。通常、上記側柵は、上記ベッドの側部のサイドフレームに形成された取り付け孔に着脱可能に取り付け、不要な場合には取り外すことができるようにしている。
【０００３】
上記側柵は、利用者が寝たままでも周囲の視界を確認できるように、例えばパイプ材による折り曲げかつ支柱の溶接で形成されている。よってその枠及び支柱の間から、物や利用者の身体の一部が挟まることがある。
【０００４】
また、上記側柵の幅寸法は、ベッドの長さ寸法よりも短く形成され、必要に応じて複数の側柵をベッドのサイドフレームに取り付けるということが行われている。複数の上記側柵をサイドフレームに取り付けると、隣り合う側柵の端部間に隙間が生じることがあり、その場合、その隙間に物や利用者の身体の一部が挟まることがある。
【０００５】
そのため、上記隙間をカバーするという手段が提案されている。例えば特許文献１および２に記載される構成が知られている。
【０００６】
【特許文献１】
特開平１０−３３５９８公報。
この特許文献１に示されたカバーは、側柵の内面及び外面のうちの少なくとも一方を覆うカバー体であり、カバー体の一部または全部を透明な部材で構成してある。
【０００７】
【特許文献２】
特許第２８３２６９９号公報。
この特許文献１に示された連結柵は、隣り合う一対の側柵の上部横枠部材と下部横枠部材とを外側から挟み込み架け渡し、固定手段で固定するようにしてある。
【０００８】
【発明が解決しようとする課題】
しかしながら、特許文献１のような手段の場合、複数の側柵間の隙間をカバーすることができず、また、複数の側柵をカバーする場合、その数に応じたカバーが必要であり、コストの上昇を招くということがある。
【０００９】
また、特許文献２のような手段の場合、隣り合った一対の側柵の上部横枠部材と下部横枠部材を挟み込んでいるだけなので、側柵の幅方向に沿ってずれ動き易いということがあって、外れてしまうということがあり安定した状態で使用することが難しい上、側柵に形成された隙間をカバーすることができない。
【００１０】
本発明は、簡単な構成で確実に、側柵に形成された、利用者の身体の一部が挟まることが考えられるまたは物が落下することが考えられる隙間及び隣り合う側柵間の隙間を覆うことができるようにした側柵用カバー装置を提供することにある。
【００１１】
【課題を解決するための手段】
本発明は、ベッドの側部に設けられた複数の側柵を同時に覆うカバー装置でかつ、柔軟かつ透視可能な材料によって下端が開放した袋状に形成され上記側柵に着脱可能に装着されるカバー本体を備えていることを特徴とする側柵用カバー装置にある。
【００１２】
上記カバー本体における上部内面の、側柵と接触する部分に、利用者が側柵につかまり体重等の力をかけたときに、上記カバー本体と側柵との間が滑って利用者の体のバランスが崩れることのないよう、摩擦によるすべり止めを有していることが好ましい。
【００１３】
上記カバー本体の対向する一対の側壁部の内面には、これら側壁部を結合して、上記側柵に装着された上記カバー本体を、痴呆症等の利用者が容易に上記側柵から取り外しするのを不能に保持する特殊な留め具が設けられていることが好ましい。
【００１４】
上記カバー本体の柔軟かつ透視可能な材料がメッシュ状ものであって、痴呆症等の利用者が容易に側柵からの取り外しができない特殊な留め具がプッシュ式ホックであることが好ましい。
【００１５】
【発明の実施の形態】
以下、図面を参照しながらこの発明の一実施の形態を説明する。
【００１６】
図１に示すベッド１は、ベッドフレーム２に複数の取付け孔２ａが上面に開口して形成されている。取付け孔２ａには、一対の側柵３が脚部４を着脱可能に装備して所定間隔で設けられている。各側柵３は、枠部５を有し、この枠部５の下側から上記脚部４が延出されている。なお、図ではベッド１の片側面のみ側柵が取付けられているが、実施形態によってはもう一方の側面または両側面に取付けられる場合もある。
【００１７】
一対の側柵３の隣り合う側部間には隙間６が形成されており、また、枠部５や脚部４などで形成される側柵にも隙間７が形成される。
【００１８】
図２はカバー本体８を装着した図１のベッドである。上記の隙間６および隙間７はこのカバー本体８によって閉塞される。これによって利用者が側柵の隙間に身体の一部に入り込むのを防止することができ、また、ベッド上で利用者が使用している物が側柵の隙間から入り込んだり落下するのを防止することができる。カバー本体８は下部が開口された袋状の形状になっており、側柵の外方から利用者を視認でき、かつ側柵の内方の利用者が側柵からの視界が確認できるようにするため柔軟かつ透視可能な材料９を使用し、上面および左右側面にて縫合部１０のように結合している。この柔軟かつ透視可能な材料９は、例えばメッシュ状の布地が好ましい。このカバー本体８の開口部を、側柵３の上部より被せることで、側柵３を覆うことができる。カバー本体８の上部内面には、滑り止め１４が取付けられており、側柵３の枠部５上部と接触することになる。この滑り止め１４は、ポリウレタンの布地が好ましい。枠部５上部は、しばしば利用者が手すりとして使うこともあるが、滑り止め１４が取付けられていることで、カバー本体８が取付けられている状態でその上から枠部５上部を握り体重等をかけた場合でも、柔軟かつ透視可能な材料９と側柵３の枠部５の間の静止摩擦力が体重等の力に耐えられず滑り出してしまい、それによって利用者の体の重心バランスが崩れるといったことがない。
【００１９】
カバー本体８の、側柵３への固定方法であるが、まずカバー本体８下部内面に取付けられた面ファスナー１１を、側柵３の脚部４を逃げるように閉じる。面ファスナー１１ａと１１ｂの雄雌は、互いに一対であればどちら側が雄でどちら側が雌でも構わないものとする。なお、面ファスナー１２は、柔軟かつ透視可能な材料９の内面の要所にあって、カバー本体８の袋を補助的に固定することが好ましい。最後に、側柵３の枠部５直下部にあたる高さ付近の要所で、カバー本体８の対向する一対の側壁部にある、プッシュ式ホック１３を押して閉じる。プッシュ式ホック１３ａと１３ｂの雄雌は、互いに一対であればどちら側が雄でどちら側が雌でも構わないものとする。このプッシュ式ホック１３は引っ張って外すことができないホックであり、ホックの雌部の表面中央に奥まって位置する押し面に、指先を差し込み押すことで雄部との結合が解除されてホックが外れる方式である。したがって痴呆症等の利用者がこのホックの特殊な解除方法に気が付くことが不可能であるため、誤ってカバー本体８を外してしまうことがない。
【発明の効果】
以上のようにこの発明によれば、袋状のカバー本体を側柵に被せるだけで、隣り合う側柵間の隙間及び側柵に形成された隙間を同時に覆うことができるから、簡単な構成で確実に利用者が側柵の隙間に身体の一部に入り込むのを防止することができ、また、ベッド上で利用者が使用している物が側柵の隙間から入り込んだり落下するのを防止することができる。しかも、カバー本体は透視可能な材料で作られているから、カバー本体によって視界が遮断されることがないため、側柵の外方から利用者を視認できなくなるということがなく、また、側柵の内方の利用者は側柵からの視界が確認できるため閉鎖感が少ない。加えて、利用者がカバー越しに側柵につかまり、体重等をかけても容易にすべって体の重心バランスを崩すことがないため、安全である。更に、痴呆症等の利用者が上記カバーを容易に取り外しができない特殊な留め具を有するため、誤ってカバーを取り外してしまうことがない。
【図面の簡単な説明】
【図１】この発明の一実施の形態を示す側柵が設けられたベッドの斜視図。
【図２】図１のベッドの側柵にカバー本体を装着した斜視図。
【図３】（ａ）はカバー本体の上面図、（ｂ）はカバー本体の正面図。
【図４】カバー本体の要部を示す断面図。
【符号の説明】
１      ベッド
２      ベッドフレーム
２ａ    取付け孔
３      側柵
４      脚部
５      枠部
６      隙間
７      隙間
８      カバー本体
９      柔軟かつ透視可能な材料
１０    縫合部
１１    面ファスナー
１１ａ  面ファスナー雄
１１ｂ  面ファスナー雌
１２    面ファスナー
１３    プッシュ式ホック
１３ａ  プッシュ式ホック雄
１３ｂ  プッシュ式ホック雌
１４    滑り止め
【図１】
2004321237.tif 000003
【図２】
2004321237.tif 000004
【図３】
2004321237.tif 000005
【図４】
2004321237.tif 000006